(57)【要約】【課題】血液の滞留による凝固を解消することができるとともに、血液が血液流出口の方向へ渦流にスムーズに流れることができるドリップチャンバを提供すること。【解決手段】本体（２）の上側部に下方または上方に傾斜した血液流入口（６）を形成し、前記本体（２）の内周壁に突状及び／又は溝状の略螺旋状及び／又は傾斜した略直線状の血液誘導部（１０、１１）を形成したドリップチャンバ（１）。前記血液誘導部（１０、１１）の形成方向は前記血液流入口（６）の傾斜方向と実質的に同方向に形成した。【選択図】図１
0003124924.tif 000002
【実用新案登録請求の範囲】
【請求項１】
本体（２）の上側部に下方または上方に傾斜した血液流入口（６）を形成し、
前記本体（２）の内周壁に突状及び／又は溝状の略螺旋状及び／又は傾斜した略直線状の血液誘導部（１０、１１）を形成したことを特徴とするドリップチャンバ（１）。
【請求項２】
前記血液誘導部（１０、１１）の形成方向は前記血液流入口（６）の傾斜方向と実質的に同方向に形成したことを特徴とする請求項１記載のドリップチャンバ（１）。
【請求項３】
前記血液流入口（６）の傾斜角度（α）と前記血液誘導部（１０、１１）の傾斜角度（β）が同じまたは傾斜角度（β）が傾斜角度（α）より大きくなることを特徴とする請求項１または請求項２に記載のドリップチャンバ（１）。
【考案の詳細な説明】
【技術分野】
【０００１】
本考案は、血液透析、血液濾過、血漿交換などの血液の体外循環回路の途中に設置して使用されるドリップチャンバの改良に関する。
【背景技術】
【０００２】
例えば本出願人は、ドリップチャンバの本体内部で血液の滞留による血液凝固を解消できる発明として特許文献１を開示した。要するに、血液流入口を本体の上端側部に上方または下方に傾斜して形成することで血液は、渦流を形成して、本体内部に充填された血液を上部から下部にかけて充分撹拌しつつ血液流出口から流出されるので、本体内部での血液の滞留がなくなり、滞留による血液の凝固がなくなる。特許文献２にも同様の発明が開示されている。
【０００３】
しかしこれらの発明は、血液流入口から本体への血液の導入速度が遅い場合は、血液が渦流を形成することなくドリップチャンバ本体内の内周壁を伝い、血液流出口へ流れるため、本体内部に充填された血液を上部から下部にかけて充分撹拌できない。血液の滞留による凝固解消できないため効果不十分である。
【０００４】
【特許文献１】実公平０３−４０３０２号公報（図１、図３参照）
【特許文献２】特開２００２−２８２３５５号公報（図１、図８参照）
【考案の開示】
【考案が解決しようとする課題】
【０００５】
本考案者が解決しようとする問題点は、血液流入口から本体への血液の導入速度が遅い場合、本体内部に充填された血液を上部から下部にかけて充分撹拌できない場合がある点である。
【課題を解決するための手段】
【０００６】
そこで本考案者は、以上の課題を解決するために鋭意検討を重ねた結果、以下の考案に到達した。
［１］本考案は、本体（２）の上側部に下方または上方に傾斜した血液流入口（６）を形成し、
前記本体（２）の内周壁に突状及び／又は溝状の略螺旋状及び／又は傾斜した略直線状の血液誘導部（１０、１１）を形成したドリップチャンバ（１）を提供する。
［２］本考案は、前記血液誘導部（１０、１１）の形成方向は前記血液流入口（６）の傾斜方向と実質的に同方向に形成した［１］記載のドリップチャンバ（１）を提供する。
［３］本考案は、前記血液流入口（６）の傾斜角度（α）と前記血液誘導部（１０、１１）の傾斜角度（β）が同じまたは傾斜角度（β）が傾斜角度（α）より大きくなる［１］または［２］に記載のドリップチャンバ（１）を提供する。
【考案の効果】
【０００７】
本考案のドリップチャンバ１は、本体２の内周壁に突状及び／又は溝状の略螺旋状及び／又は傾斜した略直線状の血液誘導部１０、１１を形成したことで、血液流入口６への血液の導入速度が遅くても、血液流入口６から本体２内へ導入された血液は、血液誘導部１０、１１を伝って渦流を形成し、本体２の内部に充填された血液を上部から下部にかけて充分撹拌しつつ血液流出口９から流出させるので、スパイラル効果を上げることができ、本体２内部での血液の滞留がなくなるため、血液の滞留による凝固を解消することができる。
さらに好ましくは、血液誘導部１０、１１の形成方向は前記血液流入口６の傾斜方向と実質的に同方向に形成することや、血液流入口６の傾斜角度αと血液誘導部１０、１１の傾斜角度βが同じまたは傾斜角度βが傾斜角度αより大きく形成することで、血液流入口６から本体２内に導入された血液は、血液流出口９の方向へ渦流にスムーズに流れることができる。
【考案を実施するための最良の形態】
【０００８】
図１は本考案のドリップチャンバ１の斜視図、図２は本考案のドリップチャンバ１の正面図、図３は図２の本体２の平面図、図４は本考案のドリップチャンバのその他の実施例１の正面図、図５は本考案のドリップチャンバのその他の実施例２の斜視図、図６は本体２のその他の実施例を示す平面図である。
本考案のドリップチャンバ１は、本体２の上側部に、下方または上方に傾斜した血液流入口６を形成している。
【０００９】
［血液誘導部１０、１１］
血液誘導部１０、１１は、本体２の内周壁に突状及び／又は溝状からなる略螺旋状及び／又は傾斜した略直線状からなる。血液誘導部１０は、図１、図２に例示では、本体２の内周壁に略螺旋状で部分的に二箇所に形成しているが、図４に例示するように本体２の内周壁に略螺旋状で部分的に複数箇所に形成してもよいし、図５に例示するように本体２の内周壁の略上部から略下部に亘って連続して形成してもよい。略螺旋状に代えて傾斜した略直線状でもよいし、これらの組み合わせでもよい。
血液誘導部１０の傾斜方向は、図１、図２、図４、図５に例示するように、下方または上方に傾斜した血液流入口６の傾斜方向と実質的に同方向で略螺旋状または傾斜した略直線状（図示せず）に形成しており、血液流入口６から導入された血液は、血液流出口９の方向へ渦流にスムーズに流れることができる。
血液流入口６への血液の導入速度が速い場合は、図１、図２、図４に例示するように、血液誘導部１０、１１は、本体２の内周壁に部分的に形成するのみでよい。血液流入口６への血液の導入速度が遅い場合は、図５に例示するように血液誘導部１０、１１は、血液流入口６から本体２の内周壁の略上部から略下部に亘って連続して形成するのが好ましい。血液流入口６から導入された血液は、血液誘導部１０、１１を伝って渦流を形成し、本体２の内部に充填された血液を上部から下部にかけて充分撹拌しつつ血液流出口９より流出される。血液流入口６から導入された血液は、血液誘導部１０、１１伝って渦流を形成し、本体２の内部に充填された血液を上部から下部にかけて充分撹拌しつつ血液流出口９より流出させるので、スパイラル効果が上がり、本体２内部での血液の滞留がなくなり、滞留による血液の凝固がなくなる。
図２に例示するように、血液流入口６の傾斜角度αと血液誘導部１０、１１の傾斜角度βが同じまたは傾斜角度βを大きくすることで、血液流入口６から導入された血液は、血液流出口９の方向へ渦流にスムーズに流れることができる。
血液誘導部１０は、図３に例示するように、本体２の内壁に突状に形成されている。血液誘導部１０は、血液が本体２内を渦流に流れるのであれば、どのような幅や形状でもよい。血液誘導部１０は、本体２と一体成形するのが好ましいが、同材質または別材質を接着してもよい。
図６に例示するように本体２の内周壁に溝状の血液誘導部１１を形成してもよい。血液誘導部１１は、血液誘導部１０と同様に、本体２の内周壁に複数箇所に形成してもよいし、本体２の内周壁の略上部から略下部に亘って形成してもよい。血液誘導部１１は、下方または上方に傾斜した血液流入口６と同方向に螺旋状または傾斜した直線状（図示せず）の血液誘導部１１を形成することで、血液流入口６から導入された血液は、血液流出口９の方向へ渦流にスムーズに流れることができる。血液誘導部１１は、血液が本体２内を渦流に流れるのであれば、どのような幅や形状でもよい。
血液流入口６から導入された血液は、血液誘導部１１を伝って渦流を形成し、本体２の内部に充填された血液を上部から下部にかけて充分撹拌しつつ血液流出口９より流出されるので、スパイラル効果が上がり、本体２の内部での血液の滞留がなくなり、滞留による血液の凝固がなくなる。
また、本体２の内周壁に突状の血液誘導部１０と溝状の血液誘導部１１を組み合わせて形成（図示せず）してもよい。
【００１０】
［ドリップチャンバ１］
上部キャップ３は、図１に例示するように側部に下方へ傾斜した血液流入口６を形成することにより、血液は、略円筒状の本体２の内周壁を伝い、血液流入口６の斜め方向に沿って導入されるので、血液流入口５が水平に形成されている場合と比較して、本体２の内部にあらかじめ貯留された血液をより効率的に撹拌することができる。同様に図４に例示するように上部キャップ３の側部に上方へ傾斜した血液流入口６を形成してもよい。上部キャップ３は、上部に圧力モニタライン７とレベル調整ライン８を形成するのが好ましく、必要に応じて図５に例示するように、補液ライン１２を形成しても良い。下部キャップ４は、下部に血液流出口９が形成されている。下部キャップ３の略下部の内周壁にフィルタ５を装着（係合、嵌合、圧入、挿着、挿入等）する。
【図面の簡単な説明】
【００１１】
【図１】本考案のドリップチャンバ１の斜視図
【図２】本考案のドリップチャンバ１の正面図
【図３】図２の本体２の平面図
【図４】本考案のドリップチャンバのその他の実施例１の正面図
【図５】本考案のドリップチャンバのその他の実施例２の斜視図
【図６】本体２のその他の実施例を示す平面図
【符号の説明】
【００１２】
１  ドリップチャンバ
２  本体
３  上部キャップ
４  下部キャップ
５  フィルタ
６  血液流入口
７  圧力モニタライン
８  レベル調整ライン
９  血液流出口
１０  血液誘導部（突状）
１１  血液誘導部（溝状）
１２  補液ライン
【図１】
0003124924.tif 000003
【図２】
0003124924.tif 000004
【図３】
0003124924.tif 000005
【図４】
0003124924.tif 000006
【図５】
0003124924.tif 000007
【図６】
0003124924.tif 000008